(57)【要約】【課題】  本発明の目的は、ユーザが複数のドキュメントを走査するスキャナにおけるドキュメントの長さを予め設定することを可能にするシステムを提供することである。【解決手段】  本発明のイメージ発生システムは、あるドキュメントを表すドキュメントイメージデータを獲得する手段と、ドキュメントイメージデータを記憶するメモリと、各ドキュメントが同じページ数を含む特定のドキュメントのセットのページ長を設定する手段と、特定のドキュメントのセットに対するページ長を予め設定する入力手段と、収集されたドキュメントのスタックのイメージデータをメモリ中に生成し、そのイメージデータを予め設定されたページ長に基づいて別個のドキュメントに分離するように構成されたイメージ発生手段とを備えている。【選択図】      図１
2004304795.tif 000002
【特許請求の範囲】
【請求項１】
あるドキュメントを表すドキュメントイメージデータを獲得するように構成された手段と、
前記ドキュメントイメージデータを記憶するメモリと、
各ドキュメントが同じページ数を含む特定のドキュメントのセットのページ長を設定するように構成された手段と、
前記特定のドキュメントのセットに対するページ長を予め設定するように構成された入力手段と、
収集されたドキュメントのスタックのイメージデータをメモリ中に生成し、そのイメージデータを予め設定されたページ長に基づいて別個のドキュメントに分離するように構成されたイメージ発生手段とを備えているイメージ発生システム。
【請求項２】
前記入力手段は、ネットワークアプリケーションまたはウェブブラウザを介して予め設定されたページ長を手動で入力するように構成され、キーボード、イメージ発生装置上のユーザインターフェースの少なくとも１つを備えた手段を備えている請求項１記載のイメージ発生システム。
【請求項３】
さらに、指定されたページ数を有する全てのドキュメントを収集してスタックするように構成された手段を備えている請求項１記載のイメージ発生システム。
【請求項４】
さらに、イメージデータを発生するために所望のパラメータを選択するように構成された手段を備えている請求項１記載のイメージ発生システム。
【請求項５】
さらに、ドキュメントイメージデータのイメージを発生するディスプレイを備えている請求項４記載のイメージ発生システム。
【請求項６】
前記イメージ発生手段は、光学的文字読取りシステム、イメージ発生装置および別の多機能周辺機器を含んでいる請求項１記載のイメージ発生システム。
【請求項７】
前記イメージ発生手段は、収集されたドキュメントのスタックをＴＩＦＦファイル中に発生する請求項１記載のイメージ発生システム。
【請求項８】
前記予め設定されたページ長を新しく設定されたページ長に変更するように構成された手段と、
新しい予め設定されたページ長を有する全てのドキュメントのイメージデータをスタックして発生するように構成された手段とをさらに備えている請求項１記載のイメージ発生システム。
【請求項９】
あるドキュメントを表すイメージデータを獲得し、
そのドキュメントのイメージデータをメモリ中に記憶し、
各ドキュメントが同じページ数を含んでいる特定のドキュメントのセットのページ長を設定し、
前記特定のドキュメントのセットのページ長をイメージ発生装置中に予め設定された値として入力し、
収集されたドキュメントのスタックのイメージデータをメモリ中で発生し、
前記イメージデータを予め設定されたページ長に基づいて別個のドキュメントに分離するステップを含んでいるイメージ発生方法。
【請求項１０】
前記特定のドキュメントのセットのページ長は、ネットワークアプリケーションまたはウェブブラウザを介してキーボード、イメージ発生装置上のユーザインターフェースにより手動でイメージ発生装置中に入力される請求項９記載の方法。
【請求項１１】
指定されたページ数を有する全てのドキュメントを収集してスタックするステップをさらに含んでいる請求項９記載の方法。
【請求項１２】
前記イメージデータを発生するために所望のパラメータを選択するステップをさらに含んでいる請求項９記載の方法。
【請求項１３】
ドキュメントの前記イメージデータのイメージを発生するディスプレイをさらに備えている請求項１２記載の方法。
【請求項１４】
前記イメージ発生装置は、光学的文字読取りシステム、イメージ発生装置および別の多機能周辺機器を含んでいる請求項９記載の方法。
【請求項１５】
前記イメージ発生装置は、収集されたドキュメントのスタックをＴＩＦＦファイル中に発生する請求項９記載の方法。
【請求項１６】
前記予め設定されたページ長を新しく設定されたページ長に変更し、
新しい予め設定されたページ長を有する全てのドキュメントをスタックし、
収集されたドキュメントのスタックのイメージデータをメモリ中で発生するステップをさらに含んでいる請求項９記載の方法。
【請求項１７】
あるドキュメントを表すドキュメントイメージデータを獲得するように構成された手段と、
前記ドキュメントイメージデータを記憶するメモリと、
各ドキュメントが同じページ数を含む特定のドキュメントのセットのページ長を設定するように構成された手段と、
前記特定のドキュメントのセットに対するページ長を予め設定するように構成された入力手段と、
収集されたドキュメントのスタックのイメージデータをメモリ中で生成し、そのイメージデータを予め設定されたページ長に基づいて別々のドキュメントに分離するように構成されたイメージ発生手段とを備えているイメージを発生する命令のコンピュータ読出し可能な媒体。
【請求項１８】
前記入力手段はキーボード、イメージ発生装置上のユーザインターフェースの少なくとも１つあるいはネットワークアプリケーションまたはウェブブラウザを介して予め設定されたページ長を手動で入力するように構成された手段を備えている請求項１７記載のコンピュータ読出し可能な媒体。
【請求項１９】
さらに、指定されたページ数を有する全てのドキュメントを収集してスタックするように構成された手段を備えている請求項１７記載のコンピュータ読出し可能な媒体。
【請求項２０】
さらに、前記イメージデータを発生するために所望のパラメータを選択するように構成された手段を備えている請求項１７記載のコンピュータ読出し可能な媒体。
【請求項２１】
さらに、ドキュメントイメージデータのイメージを発生するディスプレイを備えている請求項２０記載のコンピュータ読出し可能な媒体。
【請求項２２】
前記イメージ発生手段は、光学的文字読取りシステム、イメージ発生装置および別の多機能周辺機器を含んでいる請求項１７記載のコンピュータ読出し可能な媒体。
【請求項２３】
前記イメージ発生手段は、収集されたドキュメントのスタックをＴＩＦＦファイル中に生成する請求項１７記載のコンピュータ読出し可能な媒体。
【請求項２４】
あるドキュメントを表すイメージデータを獲得し、
そのドキュメントイメージデータをメモリ中に記憶し、
各ドキュメントが同じページ数を含んでいる特定のドキュメントのセットのページ長を設定し、
前記特定のドキュメントのセットのページ長をイメージ発生装置中に予め設定された値として入力し、
収集されたドキュメントのスタックのイメージデータをメモリ中で発生し、
イメージデータを予め設定されたページ長に基づいて別個のドキュメントに分離するステップを含んでいるコンピュータにより実施されるイメージ発生方法。
【請求項２５】
前記特定のドキュメントのセットのページ長は、ネットワークアプリケーションまたはウェブブラウザを介してキーボード、イメージ発生装置上のユーザインターフェースにより手動で前記イメージ発生装置中に入力される請求項２４記載の方法。
【請求項２６】
指定されたページ数を有する全てのドキュメントを収集してスタックするステップをさらに含んでいる請求項２４記載の方法。
【請求項２７】
前記イメージデータを発生するために所望のパラメータを選択するステップをさらに含んでいる請求項２４記載の方法。
【請求項２８】
前記ドキュメントのイメージデータのイメージを発生するディスプレイをさらに備えている請求項２７記載の方法。
【請求項２９】
前記イメージ発生装置は、光学的文字読取りシステム、イメージ発生装置および別の多機能周辺機器の少なくとも１つを備えている請求項２４記載の方法。
【請求項３０】
前記イメージ発生装置は、収集されたドキュメントのスタックをＴＩＦＦファイル中に生成する請求項２４記載の方法。
【発明の詳細な説明】
【技術分野】
【０００１】
本発明は、一般に、複数のドキュメントのイメージを生成するためのシステムおよび方法に関する。とくに、本発明は、ユーザがスキャナにおいてドキュメントの長さを予め設定する複数のドキュメントを走査するためのシステムおよび方法に関する。
【背景技術】
【０００２】
多機能周辺機器（ＭＦＰ）に搭載されたもののような通常のスキャナ、あるいは一般的に任意のスキャナでは多くの場合そうであるように、複数のドキュメントをＴＩＦＦフォーマットのような電子フォーマットで走査することが望ましい。これは典型的に各ドキュメントの間でページセパレータおよび、またはマーカを使用することにより行われる。しかしながら、これは時間を要する方法であり、走査されるページ数において種々のエラーを生じさせる可能性が高い。たとえば、ページセパレータ／マーカは典型的に、ユーザログイン情報、ユーザ名、イメージ情報等のような別のコード化された識別子情報を含んでいる。ページセパレータが検出される前に、最初にこの別のコード化された識別子情報の全てが読取られなければならない。したがって、ドキュメントを走査するための処理時間が長くなる。
【０００３】
さらに、別個の各ドキュメントは手動でスキャナに入れられなければならないため、多くのドキュメントを走査するときに面倒な事態に直面する。典型的に、ユーザは第２のドキュメントを入れる前に、最初のドキュメントが走査されるのを待たなければならない。したがって、大量のドキュメントが一度に走査されなければならないとき、貴重な時間が失われる。
【発明の開示】
【発明が解決しようとする課題】
【０００４】
したがって、従来技術の限界を克服し、ユーザがスキャナにおけるドキュメントの長さを予め設定することを可能にする複数のドキュメントを走査するためのシステムおよび方法が必要とされている。
【課題を解決するための手段】
【０００５】
本発明によると、複数のドキュメントを走査するためのシステムおよび方法が提供される。
【０００６】
本発明によると、ユーザがスキャナにおいてドキュメントの長さを予め設定することを可能にする複数のドキュメントを走査するためのシステムおよび方法が提供される。
【０００７】
さらに本発明によると、走査されたページが予め設定されたページ長に基づいて別個のドキュメントに分離される複数のドキュメントを走査するためのシステムおよび方法が提供される。
【０００８】
またさらに本発明によると、あるドキュメントを表すドキュメントイメージデータを獲得するように構成された手段と、ドキュメントイメージデータを記憶するメモリと、および各ドキュメントが同じページ数を含む特定のドキュメントのセットのページ長を設定するように構成された手段とを備えているイメージ発生システムが提供される。このシステムはさらに、特定のドキュメントのセットに対するページ長を予め設定するように構成された入力手段と、指定されたページ数を有する全てのドキュメントを収集してスタックする手段と、収集されたドキュメントのスタックのイメージデータをメモリ中で生成し、そのイメージデータを予め設定されたページ長に基づいて別々のドキュメントに分離するように構成されたイメージ発生手段とを備えている。
【０００９】
さらに本発明によると、イメージを発生する方法が提供される。この方法は、あるドキュメントを表すイメージデータを獲得し、そのドキュメントイメージデータをメモリ中に記憶するステップを含んでいる。特定のドキュメントのセットのページ長が設定され、イメージ発生装置中に予め設定された値として入力される。指定されたページ数を有する全てのドキュメントは収集されてスタックされる。収集されたドキュメントのスタックのイメージデータが生成され、その後予め設定されたページ長に基づいて別々のドキュメントに分離される。
【発明を実施するための最良の形態】
【００１０】
当業者は、この明細書を読んで理解したときにこれらおよびその他の利点、分野および特徴を認識するであろう。  
本発明は、イメージを発生するためのシステムおよび方法に関する。図１は、全体的に100で表された本発明によるシステムの好ましい実施形態のブロック図を示している。このシステムは、スキャナまたはコピー装置のようなイメージデータを発生するイメージ発生装置102を備えている。イメージ発生装置は、技術的に知られている任意の適切なイメージ発生装置である。イメージ発生装置は、走査装置またはコピー装置であることが好ましい。とくに、イメージ発生装置は走査装置であることが好ましい。イメージ発生装置はさらに制御装置104を備えており、この制御装置104はイメージ発生装置の機能を制御し、イメージデータを記憶する記憶媒体を備えている。
【００１１】
動作において、図２に示されているシステム200はイメージデータを予め設定されたページ長に基づいて別個のドキュメントに分離する。ユーザは、走査されるべきドキュメントのセットの特定のページ長を設定し、その後ステップ202において特定のページ長またはジョブサイズを制御装置104に入力する。ジョブサイズは、任意の適切な手段によって制御装置中に入力されることができる。たとえば、ユーザはキーボードを介してページ長を制御パネルにタイプ入力することにより、あるいはネットワークアプリケーションまたはウェブブラウザを介してページ長を制御装置に入力することにより手動で設定することができる（ステップ204）。その後、ステップ206において制御装置は記録される特定のページ長にジョブサイズを設定する。
【００１２】
ステップ208において、ユーザは制御装置中に記録されている指定されたページ数を含む全てのドキュメントを収集してスタックする。収集されたドキュメントの数は、収集された各ドキュメントが制御装置中に記録されているジョブサイズと同じページ数を有している限り、重要ではない。複数のドキュメントが制御装置中に入力される。その後、ステップ210において制御装置は全てのドキュメントの各ページのイメージを発生し、現在のページカウントを追跡する。
【００１３】
図３はさらに、制御装置のイメージ発生手順を詳述している。とくに、制御装置は最初にステップ302においてジョブサイズを設定すると共に、ステップ304で現在のページカウントを設定する。その後、制御装置はステップ306においてドキュメントページのイメージを発生し、ステップ308でそれにしたがって現在のページカウントをインクリメントする。その後、ステップ310において、制御装置は現在のページカウントがジョブサイズより小さいか否かを決定する。現在のページカウントがジョブサイズより小さい場合、制御装置はステップ306において別のドキュメントページのイメージを発生し、ステップ308においてページカウントを更新する。制御装置は、現在のページカウントがジョブサイズに等しくなるまで、追加のドキュメントページのイメージを発生し続ける。等しくなったとき、制御装置はステップ312でドキュメントを電子ファイルとして記憶する。
【００１４】
図２を再び参照とすると、ステップ212において制御装置が設定ジョブサイズに対応したイメージデータの電子ファイルを発生すると、ステップ214において電子ファイルは制御装置のメモリ中に保存される。制御装置はドキュメントの任意の適切なファイルを発生することができる。制御装置は、イメージデータをＴＩＦＦファイル中に発生することが好ましい。
【００１５】
ユーザはまたイメージデータを発生するための所望のパラメータを選択することができる。これらのパラメータは、任意の適切な手段によって選択されることができる。図４は、イメージデータを発生するための所望の設定を選択する好ましいサンプルスクリーンディスプレイ400を示している。ユーザは、402においてそれが両面スキャンイメージであるか否かを選択する。その後、ユーザは404において回転を指定し、406においてドキュメントタイプを指定し、408において解像度を指定し、410において露出を指定し、412においてオリジナルのサイズを指定する。その後、ユーザはＯＫボタン414を選択してその設定を保存するか、あるいは取消しボタン416を選択して入力された設定を取消すことができる。
【００１６】
所望のパラメータが設定されると、走査されたページは、メモリ中に記憶されている予め設定されたページ長に基づいて別々のドキュメントに分離される。さらに、ユーザが種々の長さのドキュメントのイメージを発生しようとした場合、ユーザは新しいページ長またはジョブサイズを制御装置に入力する。その後、ユーザは新しいページ長を有する全てのドキュメントのイメージをスタックして発生する。
【００１７】
本発明は好ましい実施形態においてソフトウェアで実施されているが、当業者により容易に認識されるように、それはまたハードウェア、またはソフトウェアとハードウェアとの組合せで実施されることができる。
【００１８】
好ましい実施形態を詳細に説明してきたが、添付されている請求の範囲により規定されている本発明の技術的範囲を逸脱することなく種々の変更、置換および修正が可能であることを認識すべきである。この明細書において本発明の特性を説明するために説明され、例証された部品の詳細、材料および構成の種々の変更は、添付されている請求の範囲に表されているように本発明の原理および技術的範囲内において当業者により行われることができることが認識されるであろう。
【図面の簡単な説明】
【００１９】
【図１】本発明によるシステムの好ましい実施形態を示すブロック図。
【図２】本発明による方法の好ましい実施形態を示すブロック図。
【図３】本発明のコンポーネントを示すブロック図。
【図４】本発明のイメージデータを発生するために所望のパラメータを選択するためのサンプルテンプレートを示す概略図。
【図１】
2004304795.tif 000003
【図２】
2004304795.tif 000004
【図３】
2004304795.tif 000005
【図４】
2004304795.tif 000006